(57)【特許請求の範囲】
【請求項１】
シートバックの外側骨格部をなすシートバックフレームと、
該シートバックフレームの車幅方向外側の側部フレーム部のうちの、一部が当該側部フレーム部と車体前後方向で重なる位置に設置されて、車体側部から入力された衝撃荷重を前記シートバックフレームに伝達する荷重伝達ブロックと、
該荷重伝達ブロックの前面に設置されてシート前方位置に展開口を有するエアバッグ装置と、
前記シートバックフレームと前記荷重伝達ブロックと前記エアバッグ装置の外側を覆うシート表皮と、を備えた車両用シートにおいて、
前記シート表皮の前記エアバッグ装置の前方位置に設けられて前記エアバッグ装置の展開により破断される破断境界部と、
前記シート表皮の前記破断境界部のシート幅方向内側の縁部と前記車幅方向外側の側部フレーム部とを連結する内側力布と、
前記シート表皮の前記破断境界部のシート幅方向外側の縁部と前記荷重伝達ブロックとを連結する外側力布と、
前記内側力布を前記車幅方向外側の側部フレーム部に支持させる支持ワイヤと、を備え、
前記車幅方向外側の側部フレーム部の前記エアバッグ装置と隣接する部位には、前記支持ワイヤを前記車幅方向外側の側部フレーム部の外側面に当接させた状態で係止するワイヤ係止部が設けられていることを特徴とする車両用シート。
【請求項２】
前記荷重伝達ブロックは閉断面形状からなり、
前記外側力布は、前記荷重伝達ブロックの閉断面形状の後部面に係止されていることを特徴とする請求項１に記載の車両用シート。
【請求項３】
前記エアバッグ装置の外側後端面と前記荷重伝達ブロックの外側前端面の間に、前記外側力布を取り付ける外側支持ワイヤの取付部が設けられていることを特徴とする請求項１または２に記載の車両用シート。
【請求項４】
前記外側力布は、前記外側支持ワイヤの取付部に取り付けられ、
前記外側支持ワイヤのうちの、前記取付部を挟む各端部は、前記荷重伝達ブロックの後面に這わせて配置されるとともに、前記荷重伝達ブロックの後面に固定されていることを特徴とする請求項３に記載の車両用シート。
【請求項５】
前記外側支持ワイヤの前記荷重伝達ブロックに固定される部位は、前記荷重伝達ブロックの後面に取り付けられるカバー部材の取付位置よりも外側に設けられていることを特徴とする請求項４に記載の車両用シート。
【請求項６】
前記外側支持ワイヤの前記荷重伝達ブロックの後面に這わせて配置されている部位は、前記荷重伝達ブロックの後面に取り付けられるカバー部材と前記荷重伝達ブロックとの間で挟持されていることを特徴とする請求項４に記載の車両用シート。
【請求項７】
前記エアバッグ装置は、前記荷重伝達ブロックに対して固定されていることを特徴とする請求項１〜６のいずれか１項に記載の車両用シート。
【発明の詳細な説明】
【技術分野】
【０００１】
この発明は、車両側方から入力される衝撃荷重を車体の幅方向内側領域に伝達する機能を備えた車両用シートに関するものである。
【背景技術】
【０００２】
衝突時等に車両側方から入力される衝撃荷重を、シートを介して車体の幅方向内側に伝達するものが知られている（例えば、特許文献１参照）。
【０００３】
この車両用シートは、シートバックの外側骨格部をなすシートバックフレームが矩形枠状に形成され、シートバックフレームの車幅方向外側の側部フレーム部に、シート幅方向の外側に突出して、車体側部から入力された衝撃荷重をシートバックフレームに伝達する荷重伝達ブロックが取り付けられている。また、荷重伝達ブロックの前面側には、衝撃荷重の入力時に袋体を前方側に展開させるエアバッグ装置が設置されている。
この車両用シートの場合、衝突時に車体側部に衝撃荷重が入力されると、車体側部の変形を荷重伝達ブロックで受け止めて、その荷重をシートバックフレームを介して車体の幅方向内側に伝達し、その一方でエアバッグ装置が衝撃荷重に反応して袋体を荷重伝達ブロックの前方に展開させる。
【０００４】
ところで、シートバックの側部にエアバッグ装置を内蔵する車両用シートにおいては、シートバックのシート表皮上の所定部位に、エアバッグ装置の展開時に破断される破断境界部が設けられている。この種の車両用シートでは、エアバッグ装置の展開時にシート表皮を破断境界部で確実に破断させ得るように、展開時に、破断境界部のシート幅方向内側の縁部と外側の縁部にそれぞれ張力を作用させるようにしている（例えば、特許文献２参照）。
【０００５】
この車両用シートは、車幅方向外側の側部フレーム部の後部にワイヤ取付用の支柱フレームが取り付けられ、その支柱フレームに内側力布と外側力布の各基端部が支持ワイヤを介して連結されている。内側力布と外側力布の各先端部はシート表皮の破断境界部を挟むシート幅方向内外の縁部に夫々縫合されている。そして、内側力布を支持する支持ワイヤは、支柱フレームから車幅方向外側の側部フレーム部の内側面に沿って前方側に引き出され、外側力布を支持する支持ワイヤは、支柱フレームから車幅方向外側の側部フレーム部の外側から前方側に引き出されている。
この車両用シートの場合、衝突時にエアバッグ装置の袋体が前方に展開すると、シート表皮上の破断境界部の内外の縁部が内側力布と外側力布に引っ張られ、それによってシート表皮が破断境界部で確実に破断する。
【先行技術文献】
【特許文献】
【０００６】
【特許文献１】特開平８−１５６６６８号公報
【特許文献２】特開２００９−６７１５１号公報
【発明の概要】
【発明が解決しようとする課題】
【０００７】
ところで、現在、車幅方向外側の側部フレーム部に荷重伝達ブロックを設置した特許文献１に記載のような車両用シートにおいても、エアバッグ装置の展開時に、内側力布と外側力布によって破断境界部に荷重を集中させることが検討されている。
しかし、車幅方向外側の側部フレーム部に荷重伝達ブロックを設置する車両用シートにおいては、荷重伝達ブロックの前方側にエアバッグ装置を設置する関係上、エアバッグ装置の展開口が側部フレーム部の前端部に近接した位置となるため、側部フレーム部の内側面に沿って前方側に引き出されている支持ワイヤがエアバッグ装置の展開圧によってシート幅方向内側に押し込まれることが懸念させる。
【０００８】
そこでこの発明は、荷重伝達ブロックの前面側にエアバッグ装置が配置される構造でありながら、シート表皮の破断補助用の力布を支持する支持ワイヤの不要な変位を確実に規制することのできる車両用シートを提供しようとするものである。
【課題を解決するための手段】
【０００９】
この発明に係る車両用シートでは、上記課題を解決するために以下の手段を採用した。
請求項１に係る発明は、シートバックの外側骨格部をなすシートバックフレーム（例えば、実施形態のシートバックフレーム１３）と、該シートバックフレームの車幅方向外側の側部フレーム部（例えば、実施形態の側部フレーム部１３ｃ）のうちの、一部が当該側部フレーム部と車体前後方向で重なる位置に設置されて、車体側部から入力された衝撃荷重を前記シートバックフレームに伝達する荷重伝達ブロック（例えば、実施形態の第１の荷重伝達ブロック１８）と、該荷重伝達ブロックの前面に設置されてシート前方位置に展開口（例えば、実施形態の展開口３４）を有するエアバッグ装置（例えば、実施形態のエアバッグ装置３０）と、前記シートバックフレームと前記荷重伝達ブロックと前記エアバッグ装置の外側を覆うシート表皮（例えば、実施形態のシート表皮２８）と、を備えた車両用シートにおいて、前記シート表皮の前記エアバッグ装置の前方位置に設けられて前記エアバッグ装置の展開により破断される破断境界部（例えば、実施形態の破断境界部５０）と、前記シート表皮の前記破断境界部のシート幅方向内側の縁部と前記車幅方向外側の側部フレーム部とを連結する内側力布（例えば、実施形態の内側力布５１）と、前記シート表皮の前記破断境界部のシート幅方向外側の縁部と前記荷重伝達ブロックとを連結する外側力布（例えば、実施形態の外側力布５２）と、前記内側力布を前記車幅方向外側の側部フレーム部に支持させる支持ワイヤ（例えば、実施形態の内側支持ワイヤ１５３）と、を備え、前記車幅方向外側の側部フレーム部の前記エアバッグ装置と隣接する部位には、前記支持ワイヤを前記車幅方向外側の側部フレーム部の外側面に当接させた状態で係止するワイヤ係止部（例えば、実施形態の係止孔５６）が設けられていることを特徴とするものである。
【発明の効果】
【００１０】
請求項１に係る発明によれば、車幅方向外側の側部フレーム部のエアバッグ装置と隣接する部位に、支持ワイヤを車幅方向外側の側部フレーム部の外側面に当接させた状態で係止するワイヤ係止部が設けられていることから、荷重伝達ブロックの前面側にエアバッグ装置が配置される構造でありながら、内側力布を支持する支持ワイヤのエアバッグ装置の展開時におけるシート幅方向内側への変位をワイヤ係止部によって確実に規制することができる。
【図面の簡単な説明】
【００１１】
【図１】この発明の一実施形態の車両用シートを前方側から見た斜視図である。
【図２】この発明の一実施形態の車両用シートの骨格部を前方側から見た斜視図である。
【図３】この発明の一実施形態の車両用シートの図２のＡ部をＥ方向から見た斜視図である。
【図４】この発明の一実施形態の車両用シートの図２のＡ部の分解斜視図である。
【図５】この発明の一実施形態の車両用シートの図３のＣ−Ｃ断面に対応する断面図である。
【図６】この発明の一実施形態の車両用シートの図２のＢ部に対応する部位の拡大斜視図である。
【図７】この発明の一実施形態の車両用シートの図６のＤ―Ｄ断面に対応する断面図である。
【図８】この発明の一実施形態の車両用シートの骨格部を後方側から見た分解斜視図である。
【図９】この発明の一実施形態の車両用シートの骨格部を前方側から見た分解斜視図である。
【図１０】この発明の一実施形態の車両用シートの骨格部を前方側から見た分解斜視図である。
【図１１】この発明の一実施形態の車両用シートの図１のＧ−Ｇ断面に対応する断面図である。
【発明を実施するための形態】
【００１２】
以下、この発明の一実施形態を図面に基づいて説明する。なお、図面において、矢印Ｆは車両前方を指すものとする。
図１は、車両の前席左側に配置された車両用シート１を前部側斜め上方から見た斜視図であり、図２は、同車両用シート１の骨格部を前部側斜め上方から見た斜視図である。
車両用シート１は、乗員の臀部を支持するシートクッション２と、このシートクッション２の後端部に連結されて、乗員の腰部及び背部を支持するシートバック３と、そのシートバック３の上部に支持されて、乗員の頭部及び首部を支持する図示しないヘッドレストとを備えている。
【００１３】
シートクッション２は、図２に示すように、前後のパイプ材５Ａ，５Ｂと側部のプレート材６Ａ，６Ｂによって矩形枠状に形成されたクッションフレーム７を備え、そのクッションフレーム７がシートレール８，８を介して車体フロア９に前後スライド可能に取り付けられている。クッションフレーム７は、その上面側にウレタンフォーム等から成る図示しないパッド材が装着され、これらの外側が合成繊維や皮革等から成るシート表皮２６（図１参照）によって覆われている。
【００１４】
シートバック３は、図２に示すように、上部フレーム部１３ａと左右の側部フレーム部１３ｃ，１３ｄと下部フレーム部１３ｂとからなる略矩形枠形状のシートバックフレーム１３を備えている。シートバックフレーム１３は、その前面側にウレタンフォーム等から成るパッド材２７（図１１参照）が装着され、これらの外側が合成繊維や皮革等から成るシート表皮２８（図１参照）によって覆われている。
上部フレーム部１３ａと下部フレーム部１３ｂは車幅方向に延出するパイプ材によって形成され、左右の側部フレーム部１３ｃ，１３ｄはパイプ材の外側に断面略コ字状のプレート材である側部プレート１４ａ，１４ｂが接合された構造とされている。各フレーム部１３ｃ，１３ａ，１３ｄ，１３ｂのパイプ材は一体の骨格パイプ１２が略矩形状に曲げられて形成されている。
【００１５】
ただし、骨格パイプ１２は、図２に示すように、一端１２Ａが車幅方向内側の側部フレーム部１３ｄ（以下、「内側側部フレーム部１３ｄ」と呼ぶ。）に位置され、他端１２Ｂが下部フレーム部１３ｂに位置され、その中間部が上部フレーム部１３ａと車幅方向外側の側部フレーム部１３ｃ（以下、「外側側部フレーム部１３ｃ」と呼ぶ。）に亙って延在しているが、骨格パイプ１２の一端１２Ａは内側側部フレーム部１３ｄの下端から所定距離上方に離間した位置から始まり、他端１２Ｂは内側側部フレーム１３ｄの手前で終わっている。つまり、骨格パイプ１２の下部フレーム部１３ｂを構成する部分は、内側側部フレーム部１３ｄとの間に離間スペースＳを形成している。
また、この実施形態の場合、外側側部フレーム部１３ｃと内側側部フレーム部１３ｄを構成する各側部プレート１４ａ，１４ｂは、それぞれ複数枚のプレート材が接合されて構成されている。
【００１６】
ところで、車幅方向外側と内側の各側部プレート１４ａ，１４ｂの下端は、下部フレーム部１３ｂよりも下方まで延出しており、この各側部プレート１４ａ，１４ｂの下端の近傍が、クッションフレーム７の両側のプレート材６Ａ，６Ｂの後端領域の内側に配置され、傾動軸１５を介してクッションフレーム７の後端部に傾動可能に連結されている。この傾動軸１５はリクライニング機構の軸を構成し、クッションフレーム７の両側のプレート材６Ａ，６Ｂに跨るように車幅方向に沿って延出している。
なお、図中１６，１７は、シートバック３の図示しないパッド材を支持するために、外側側部フレーム部１３ｃと内側側部フレーム部１３ｄに取り付けられた支持マットと支持ワイヤである。
【００１７】
図３，図４は、外側側部フレーム部１３ｃの下半領域と下部フレーム部１３ｂの連設部の近傍を示す図であり、図５は、図３のＣ−Ｃ断面に対応する断面図である。また、図６は、内側側部フレーム部１３ｄの下半領域と下部フレーム部１３ｂの連設部の近傍を示す図であり、図７は、図６のＤ―Ｄ断面に対応する断面図である。
外側側部フレーム部１３ｃを成す側部プレート１４ａの車幅方向外側の面には、車幅方向外側に突出して、側面衝突時等に車体側部（例えば、センターピラー）から入力された衝撃荷重をシートバックフレーム１３に伝達する第１の荷重伝達ブロック１８（荷重伝達ブロック）が取り付けられている。
【００１８】
第１の荷重伝達ブロック１８は、金属製の略矩形状の半割り容器状の前部ブロック１８Ａと後部ブロック１８Ｂの周縁部が相互に接合されて成り、上下方向に長い略長方形状の断面が車幅方向外側に向かって延出している。前部ブロック１８Ａの前面は、エアバッグ装置３０（図１参照）が取り付けられる取付座とされ、また、前部ブロック１８Ａの車幅方向内側の縁部には上下に離間して一対の窪み部１９，１９が形成されている。前部ブロック１８Ａの内側の縁部はこの窪み部１９，１９によって上下方向に亙って波打ち、それによって車幅方向の剛性の向上が図られている。また、各窪み部１９の底壁の車幅方向内側領域には、車幅方向内側に向かって突出する舌片部２０（図４参照）が設けられている。
第１の荷重伝達ブロック１８は、側部プレート１４ａの車幅方向外側の面に重ねられ、側部プレート１４ａとの当接部の周域が側部プレート１４ａに対して溶接によって固定されている。ただし、図４に示すように、側部プレート１４ａ上の第１の荷重伝達ブロック１８の舌片部２０に対応する位置には、長孔状の貫通孔２１，２１が形成され、この貫通孔２１，２１を通して各舌片部２０が骨格パイプ１２に対して直接溶接固定されている。
【００１９】
また、図４に示すように、クッションフレーム７の車幅方向外側のプレート材６Ａの後端部には、傾動軸１５の外周域を囲む円筒状のボス部２２が突設され、このボス部２２に第２の荷重伝達ブロック２３が取り付けられている。この第２の荷重伝達ブロック２３は、車両の側面衝突時等に車体側部の下部領域から入力された衝撃荷重をシートバックフレーム１３の下端領域（傾動軸１５の存在する領域）に直接伝達する部材であり、車幅方向に延出する複数の筒状断面が並列に配置されたハニカム構造とされ、全体が樹脂によって短軸円柱状に形成されている。
【００２０】
ところで、傾動軸１５よりも上方に配置されている下部フレーム部１３ｂには、シート幅方向の両縁部が外側側部フレーム部１３ｃと内側側部フレーム部１３ｄに結合された金属製のリヤアンダープレート２４（板状強度部材）が結合されている。このリヤアンダープレート２４は、上縁部が下部フレーム部１３ｂの後部側上面に溶接固定され、図５に示すように、その溶接固定部から下方に延出する領域が傾動軸１５の後方側を覆い、さらに下縁部が前方側に屈曲して傾動軸１５の下方を覆うようになっている。この実施形態の場合、リヤアンダープレート２４は傾動軸１５よりも低い位置まで下端全域が延出している。また、リヤアンダープレート２４の両側の下縁部は傾動軸１５よりも低い位置を含む範囲で外側側部フレーム部１３ｃと内側側部フレーム部１３ｄの各側部プレート１４ａ，１４ｂに溶接固定されている。
【００２１】
また、この実施形態の場合、下部フレーム部１３ｂを構成する骨格パイプ１２には、図３に示すように、外側側部フレーム部１３ｃ（側部プレート１４ａ）に向かって斜め上方に屈曲する傾斜部１２ａが設けられている。リヤアンダープレート２４の車幅方向外側の縁部は、この傾斜部１２ａに沿うようにその上端部の高さが側端部に向かって次第に高くなっている。なお、下部フレーム部１３ｂを構成する骨格パイプ１２の他端１２Ｂは、図６に示すように、内側側部フレーム部１３ｄまで延出していないが、リヤアンダープレート２４の車幅方向内側の縁部は、車幅方向外側の縁部と同様に、その上端部の高さが側端部に向かって次第に高くなっている。
【００２２】
また、下部フレーム部１３ｂと傾動軸１５の前方側には、金属製のフロントアンダープレート２５（板状補強部材）が配置されている。このフロントアンダープレート２５は、図５に示すように、上端部が下部フレーム部１３ｂの前部側上面に溶接固定されるとともに、シート幅方向の両縁部が外側側部フレーム部１３ｃと内側側部フレーム部１３ｄの各側部プレート１４ａ，１４ｂに溶接固定されている。なお、フロントアンダープレート２５の上端部はリヤアンダープレート２４の上端部に溶接固定するようにしても良い。そして、フロントアンダープレート２５の下部フレーム部１３ｂから下方に延出する領域は傾動軸１５の前方側を覆い、さらに下縁部が傾動軸１５よりも低い位置で後方側に屈曲して、傾動軸１５の下方を覆う位置でリヤアンダープレート２４の下端に溶接固定されている。なお、フロントアンダープレート２５の車幅方向外側の縁部は、リヤアンダープレート２４と同様に、その上端部の高さが側端部に向かって次第に高くなっているが、フロントアンダープレート２５の車幅方向内側の縁部は、傾動軸１５の前面から上面に亙る領域が切り欠かれている。
【００２３】
フロントアンダープレート２５は、図５に示すように、リヤアンダープレート２４とともに車幅方向に延出する閉断面を構成している。このフロントアンダープレート２５とリヤアンダープレート２４とによる閉断面は、傾動軸１５の周囲を覆い、かつ外側側部フレーム部１３ｃと内側側部フレーム部１３ｄの下端部同士を連結している。
図８〜図１０は、外側側部フレーム部１３ｃと第１の荷重伝達ブロック１８に他の部品が取り付けられる状態を示す斜視図であり、図１１は、図１のＧ−Ｇ断面に対応する断面図である。
これらの図に示すように、第１の荷重伝達ブロック１８の前面側にはエアバッグ装置３０が取り付けられ、第１の荷重伝達ブロック１８の後面側には、樹脂製のカバー部材４５が取り付けられている。
【００２４】
エアバッグ装置３０は、図１１に示すように、衝撃を感知してガスを発生するイフレータ３１と、インフレータ３１のガス圧を受けて展開する折り畳まれた袋体３２を備え、これらが上下方向に長尺なバッグケース３３に収容されている。バッグケース３３は、車体前方に指向する前面が、袋体３２の展開により、側部プレート１４ａ側のコーナーをヒンジ支点として展開口３４を前方側に開く蓋部とされている。バッグケース３３は、その後面が第１の荷重伝達ブロック１８の前部ブロック１８Ａの前面の取付座１８ａにボルトナット等の固定手段によって固定されている。
【００２５】
一方、カバー部材４５は、第１の荷重伝達ブロック１８よりも一回り大きい正面視が略長方形状の半割りの箱型形状に形成され、第１の荷重伝達ブロック１８の後面と周囲を覆った状態で第１の荷重伝達ブロック１８の背面にビス３５によって固定されるようになっている。カバー部材４５の外面は滑らかな面によって形成されている。また、カバー部材４５は、第１の荷重伝達ブロック１８の背面にビス止めされるに際して、側部プレート１４ａの後部側の屈曲壁３６の後面に跨って固定される。カバー部材４５は、このようにして取り付けられると、側部プレート１４ａの後部からエアバッグ装置３０のバッグケース３３の外端部の近傍部にかけてを滑らかな面によって覆うことになる。
【００２６】
ところで、側部プレート１４ａとエアバッグ装置３０の前面側には、図１１に示すようにパッド材２７が配置され、このパッド材２７の外面側がシート表皮２８によって覆われている。そして、パッド材２７を覆ったシート表皮２８の車幅方向外側の端縁は、バッグケース３３とカバー部材４５の外側面をさらに覆い、側部プレート１４ａの後端に係止部材３７を介して係止されている。このとき、カバー部材４５は、エアバッグ装置３０から側部プレート１４ａの後端に亙る領域においてシート表皮２８の形状出しを行う（皺のない連続形状を作り出す）ように機能する。
【００２７】
また、シート表皮２８のうちのバッグケース３３の展開口３４の前方側位置には、図１１に示すように、エアバッグ装置３０の袋体３２の展開時に、展開圧によって破断される破断境界部５０が上下方向に沿うように設けられている。そして、シート表皮２８の裏面のうちの、破断境界部５０のシート幅方向内側の縁部と外側の縁部には、内側力布５１と外側力布５２がそれぞれ縫合されている。内側力布５１と外側力布５２は、エアバッグ装置３０の展開時に破断境界部５０の両縁に張力を付与して、破断境界部５０からの破断を促すための布部材であり、これらの各基端部は内側支持ワイヤ１５３と外側支持ワイヤ１５４を介して外側側部フレーム部１３ｃに連結されている。
【００２８】
図１１に示すように、内側力布５１と外側力布５２の各端部は、内側支持ワイヤ１５３と外側支持ワイヤ１５４を介して外側側部フレーム部１３ｃに支持されているが、内側支持ワイヤ１５３は外側側部フレーム部１３ｃの側部プレート１４ａに係止固定され、外側支持ワイヤ１５４は第１の荷重伝達ブロック１８に係止固定されている。
【００２９】
内側支持ワイヤ１５３は、図９に示すように、内側力布５１が取り付けられる取付部１５３ａが、側部プレート１４ａの前方側に配置されるとともに、取付部１５３ａを挟む上下の端部が、側部プレート１４ａに設けられた一対の長孔状の係止孔５６，５６に車幅方向外側から挿入されている。側部プレート１４ａの係止孔１５６，１５６は、エアバッグ装置３０に隣接する部位に上下に離間して設けられている。内側支持ワイヤ１５３の上下の各端部には、図１１に示すように、略Ｕ字状の係止フック１５３ｂが設けられ、その各係止フック１５３ｂが対応する係止孔５６の前側の縁部に係止されている。係止孔５６，５６は、内側支持ワイヤ１５３を側部プレート１４ａ（外側側部フレーム部１３ｃ）の外側面に当接させた状態で係止するワイヤ係止部を構成している。内側支持ワイヤ１５３のうちの、係止孔５６，５６から車幅方向外側に引き出されて取付部１５３ａに連続する部位は側部プレート１４ａの外側面に沿って前方に延出しているが、この部位は、図１０に示すように、第１の荷重伝達ブロック１８に固定されるエアバッグ装置３０のバッグケース３３と側部プレート１４ａとの間で挟持される。
【００３０】
一方、外側支持ワイヤ１５４は、図８に示すように、外側力布５２が取り付けられる取付部１５４ａが、第１の荷重伝達ブロック１８の車幅方向外側の前端領域に配置されるとともに、取付部１５４ａを挟む上下の各端部が第１の荷重伝達ブロック１８の後面（後部ブロック１８Ｂの後面）に這わせて配置され、その各端部が第１の荷重伝達ブロック１８の後面に係止固定されている。具体的には、外側支持ワイヤ１５４の各端部には、略Ｌ字状に屈曲した係止フック１５４ｂが設けられ、この各係止フック１５４ｂが第１の荷重伝達ブロック１８の後部面に設けられた対応する係止孔５７に挿入され、その各係止孔５７の縁部に係止される。
【００３１】
第１の荷重伝達ブロック１８の後部面には、図８に示すように、上下に離間して一対の開口５８，５８が設けられている。上記の各係止孔５７は、この各開口５８に連続するように各開口５８の車幅方向外側の辺に溝状に連続して形成されている。外側支持ワイヤ１５４の係止フック１５４ｂは開口５８側から係止孔５７内に案内され、各係止孔５７の縁部に係止されている。外側支持ワイヤ１５４の第１の荷重伝達ブロック１８の後面に這わせた部分は、カバー部材４５が第１の荷重伝達ブロック１８に固定されるときに、カバー部材４５と第１の荷重伝達ブロック１８との間で挟持される。
なお、カバー部材４５の裏面（第１の荷重伝達ブロック１８の後面に対向する側の面）には、図９に示すように、上下方向に延出する補強リブ５９が設けられている。この補強リブ５９は、カバー部材４５が第１の荷重伝達ブロック１８に固定されたときに、外側支持ワイヤ１５４の各係止フック１５４ｂの付根部の内側の近傍に配置され、各係止フック１５４ｂの開口５８方向への変位を規制する。
【００３２】
以上の構成において、車両の側面衝突時に衝撃荷重が車体側部に入力され、車体側部が車幅方向内側に変形すると、その変形した車体側部が第１の荷重伝達ブロック１８と第２の荷重伝達ブロック２３のうちの少なくとも一方に当接し、衝撃荷重がシートバックフレーム１３の外側側部フレーム部１３ｃに伝達される。
【００３３】
こうして、外側側部フレーム部１３ｃに衝撃荷重が入力されると、車幅方向に延出するリヤアンダープレート２４とフロントアンダープレート２５が、その衝撃荷重を下部フレーム部１３ｂとともに内側側部フレーム部１３ｄの下端に伝達する。内側側部フレーム部１３ｄに伝達された荷重は、シートバックフレーム１３全体の車幅方向内側への移動とともに車幅方向中央のコンソールボックス（図示せず）を介してフロアトンネル（図示せず）に速やかに伝達される。
【００３４】
一方、車両の側面衝突時に衝撃がセンサによって感知されると、エアバッグ装置３０のインフレータ３１がガスを発生して袋体３２を前方に展開させる。こうして袋体３２が展開すると、バッグケース３３の展開口３４が開いて袋体３２が内側力布５１と外側力布５２の間を前進し、このときの展開圧が内側力布５１と外側力布５２を通してシート表皮２８の破断境界部５０に作用し、シート表皮２８がこの部位で破断することになる。これにより、袋体３２がシートバック３の車幅方向外側の側部で前方に展開し、シートに着座した乗員の側部が袋体３２によって保護される。
【００３５】
以上のように、この車両用シート１は、外側側部フレーム部１３ｃのエアバッグ装置３０と隣接する部位に係止孔５６を設け、係止孔に内側支持ワイヤ１５３の端部の係止フック１５４ｂを係止して、内側支持ワイヤ１５３を側部フレーム部１３ｃの外側面に当接させた状態で同側部フレーム部１３ｃに係止させることができるため、第１の荷重伝達ブロック１８の前面側にエアバッグ装置３０が配置される構造でありながら、エアバッグ装置３０の展開時における内側支持ワイヤ１５３の車幅方向内側への変位を確実に規制することができる。
【００３６】
なお、この発明は上記の実施形態に限定されるものではなく、その要旨を逸脱しない範囲で種々の設計変更が可能である。
【符号の説明】
【００３７】
１…車両用シート
１３…シートバックフレーム
１８…第１の荷重伝達ブロック（荷重伝達ブロック）
２８…シート表皮
３０…エアバッグ装置
３４…展開口
１３ｃ…側部フレーム部
１５３…内側支持ワイヤ（支持ワイヤ）
５６…係止孔（ワイヤ係止部）
【図１】
0005564375.tif 000002
【図２】
0005564375.tif 000003
【図３】
0005564375.tif 000004
【図４】
0005564375.tif 000005
【図５】
0005564375.tif 000006
【図６】
0005564375.tif 000007
【図７】
0005564375.tif 000008
【図８】
0005564375.tif 000009
【図９】
0005564375.tif 000010
【図１０】
0005564375.tif 000011
【図１１】
0005564375.tif 000012